(57)【要約】【課題】地上設置形変圧器装置に接続されるケーブルの支持・固定を、ケーブル支持用の弾性支持部材による適宜な締付圧力を利用して、長期に亘り維持可能とした。【解決手段】変圧器装置のケースの下部に、前方に向けてねじ孔を穿設した支持ピンを複数本突設し、半円状の凹部をケーブルの本数に応じて形成した複数の弾性体からなる第１の弾性支持部材を前記支持ピンに挿通してケースに装着し、第１の弾性支持部材には、半円状の凹部と対応する凹部と支持ピンと対応して穿設した挿通孔に保持板に取付けられた挿通管を挿着した弾性体からなる第２の弾性支持部材を当接し、第１，第２の弾性支持部材の凹部からなるケーブル支持孔にケーブルを挿通した後、第２の弾性支持部材の背部に当接されて弾性体に挿着した保持板の挿通管より固定ボルトを通して第１の弾性支持部材を挿通する支持ピンに螺合して、第２の弾性支持部材を第１の弾性支持部材に支持するように構成した。【選択図】図４
2006179636.tif 000002
【特許請求の範囲】
【請求項１】
筐体を２室に区画して一方の区画室に変圧器装置を収容し、他方の区画室には前記変圧器装置と電気的に接続した高圧機器を収容して構成した地上設置形変圧器装置において、前記変圧器装置のケースの下部には、地中配線用のケーブルを支持する支持装置を設け、前記支持装置は、ケースの前方に向けてねじ孔を穿設した支持ピンを所定の間隔を保って横方向に複数本突設し、前記ケースに突設した支持ピンに、前記ケーブルを挟み込む半円状の凹部をケーブルの本数に対応して形成したゴム等弾力性に富む材料よりなる第１の弾性支持部材を、前記支持ピンの先端を貫通突出させた状態で挿通してケース下部に装着し、前記第１の弾性支持部材と対応する部位には、前記ケーブルを挟み込む半円状の凹部と前記支持ピンと対応する位置に穿設した挿通孔に該挿通孔より長さ寸法を短くして保持板に取付けた挿通管を挿着して形成した第１の弾性支持部材と同種材料からなる第２の弾性支持部材を、前記第１の弾性支持部材に支持ピンの突出端を挿通孔に挿入して当接し、前記第１，第２の弾性支持部材の凹部にて形成される円形のケーブル支持孔にケーブルを挿通し、かつ、前記第２の弾性支持部材を、その背部に当接される前記保持板に取付けられて第２の弾性支持部材の挿通孔に挿入した挿通管から第１の弾性支持部材を貫通する支持ピンのねじ孔に固定ボルトを螺合して第１の弾性支持部材に装着して、前記ケーブルをケーブル支持孔に支持・固定するように構成したことを特徴とする地上設置形変圧器装置のケーブル支持装置。
【請求項２】
前記ケースの下部に該ケースの前方に向けて突設したねじ孔を有する支持ピンは、第１の弾性支持部材から所定の長さ突出する長さ寸法にてケースに取り付け、前記第１の弾性支持部材と対峙する第２の弾性支持部材の背部に当接される保持板に取付けられて前記第２の弾性支持部材の挿通孔に挿着した挿通管は、前記第２の弾性支持部材を第１の弾性支持部材に当接させて所定の押圧力にて押圧したとき、前記第１の弾性支持部材から突出する支持ピンの突出端が第２の弾性支持部材の挿通孔に進入して衝接する長さ寸法にて形成されていることを特徴とする請求項１記載の地上設置形変圧器装置のケーブル支持装置。
【請求項３】
前記ケーブル支持装置は、第１，第２の弾性支持部材によって、筐体内と地中配線用のケーブルを導出するピットとの間を封止するように配設して構成したことを特徴とする請求項１記載の地上設置形変圧器装置のケーブル支持装置。
【発明の詳細な説明】
【技術分野】
【０００１】
本発明は、市街地における配電線の過密化現象の解消とか景観を良好に維持する関係から、市街地や集合住宅，公園等に隣接する歩道上に設置した地上設置形変圧器装置の改良に係るもので、その目的は、地上設置形変圧器装置と接続する地中配線用のケーブルを長期間にわたり円滑・良好に支持・固定することにある。
【背景技術】
【０００２】
市街地の過密化、集合住宅の増加等都市部の市街地における配電設備の過密化解消と都市部の景観を良好に維持する関係から、変圧器装置，高圧カットアウトスイッチ等からなる配電設備をこれまでの電柱に装柱する方式から、同一の筐体内に前記配電設備一式を収容して構成した、所謂地上設置形変圧器装置が種々使用されるようになってきた。そして、前記地上設置形変圧器装置は、都市部の景観維持とか配電線の安全対策等を考慮して、市街地の歩道上に設置されており、需要家への給電は、前記地上設置形変圧器装置から地中配電方式によって、地中に配線されているケーブルを介して各需要家に直接給電されている。
【０００３】
そして、地上設置形変圧器装置に地中配線用のケーブルを接続する場合は、地中配線されているケーブルを、地上設置形変圧器装置の設置場所に設けたピットから垂直方向に導出して、地上設置形変圧器装置の所要充電部（高圧、低圧）に接続するようにしている。この場合、前記ケーブルは地上設置形変圧器装置の直下に位置するピットから垂直に立ち上げた地点で、例えば、特開平５−２９１０５２号公報に開示されているように、一対の支持絶縁物により挟持して地上設置形変圧器装置にてケーブルを導出する方向において支持・固定させた後、前記ケーブルを地上設置形変圧器装置の各充電部に接続するようにしていた。（例えば、特許文献１参照）。
【０００４】
【特許文献１】特開平５−２９１０５２号公報
【発明の開示】
【発明が解決しようとする課題】
【０００５】
前記ケーブルを一対の支持絶縁物を用いて支持する場合、例えば、前記特開平５−２９１０５２号公報に開示されているように、一対の支持絶縁物は、ケーブル挟み込み部分にケーブルの径に合うように丸い凹みを形成し、この凹みにゴム等からなる弾性シートを巻付けたケーブル部分を通した後、前記一対の支持絶縁物を絶縁ボルトにより一体的に締着することにより、ケーブルを絶縁支持物によって支持・固定していた。
【０００６】
前記のように、ケーブルに弾性シートを巻回して一対の支持絶縁物により挟持した状態で、前記一対の支持絶縁物を絶縁ボルトにより締着してケーブルを支持・固定する場合、絶縁ボルトを一定の締付力以上の力により締付を行うと、支持絶縁物や弾性シートには大きな締付圧力が加えられることになるので、支持絶縁物等はその弾性部分が比較的短期間の間に劣化損傷し、ケーブル自体を長期にわたり円滑に支持・固定させることが難しいという問題があった。
【０００７】
また、前記一対の支持絶縁物を絶縁ボルトにより締着する場合、作業者個々がすべて同じ締付力により締着するということは非常に難しく、結局作業者個々の締付力に応じて締着することになるため、ケーブルの支持・固定が不安定となるばかりか、ケーブルの締付を必要以上に強くした場合、前記同様に支持絶縁物の弾性力が早期に劣化して喪失し、逆に、緩い場合は、ケーブルの支持・固定が不安定となり、ケーブル自体の充電部との接続に悪影響を及ぼすという問題があった。
【０００８】
本発明は、前記の問題点に鑑み、地上設置形変圧器装置と接続するケーブルを垂直に支持・固定する絶縁性の弾性支持部材を、ボルト等の締付部材の締着により早期に劣化・損傷させることなく、ケーブルを長期に亘り迅速・確実に支持・固定できるようにした、地上設置形変圧器装置の改良されたケーブル支持装置を提供することを目的とするものである。
【課題を解決するための手段】
【０００９】
前記問題点を解決するために、請求項１記載の発明は、筐体を２室に区画して一方の区画室に変圧器装置を収容し、他方の区画室には前記変圧器装置と電気的に接続した高圧機器を収容して構成した地上設置形変圧器装置において、前記変圧器装置のケースの下部には、地中配線用のケーブルを支持する支持装置を設け、前記支持装置は、ケースの前方に向けてねじ孔を穿設した支持ピンを所定の間隔を保って横方向に複数本突設し、前記ケースに突設した支持ピンに、前記ケーブルを挟み込む半円状の凹部をケーブルの本数に対応して形成したゴム等弾力性に富む材料よりなる第１の弾性支持部材を、前記支持ピンの先端を貫通突出させた状態で挿通してケース下部に装着し、前記第１の弾性支持部材と対応する部位には、前記ケーブルを挟み込む半円状の凹部と前記支持ピンと対応する位置に穿設した挿通孔に該挿通孔より長さ寸法を短くして保持板に取付けた挿通管を挿着して形成した第１の弾性支持部材と同種材料からなる第２の弾性支持部材を、前記第１の弾性支持部材に支持ピンの突出端を挿通孔に挿入して当接し、前記第１，第２の弾性支持部材の凹部にて形成される円形のケーブル支持孔にケーブルを挿通し、かつ、前記第２の弾性支持部材を、その背部に当接される前記保持板に取付けられて第２の弾性支持部材の挿通孔に挿入した挿通管から第１の弾性支持部材を貫通する支持ピンのねじ孔に固定ボルトを螺合して第１の弾性支持部材に装着して、前記ケーブルをケーブル支持孔に支持・固定するように構成したことを特徴とする。
【００１０】
請求項２記載の発明は、請求項１記載の地上設置形変圧器装置のケーブル支持装置において、前記ケースの下部に該ケースの前方に向けて突設したねじ孔を有する支持ピンは、第１の弾性支持部材から所定の長さ突出する長さ寸法にてケースに取り付け、前記第１の弾性支持部材と対峙する第２の弾性支持部材の背部に当接される保持板に取付けられて前記第２の弾性支持部材の挿通孔に挿着した挿通管は、前記第２の弾性支持部材を第１の弾性支持部材に当接させて所定の押圧力にて押圧したとき、前記第１の弾性支持部材から突出する支持ピンの突出端が第２の弾性支持部材の挿通孔に進入して衝接する長さ寸法にて形成されていることを特徴とする。
【００１１】
請求項３記載の発明は、請求項１記載の地上設置形変圧器装置のケーブル支持装置において、前記ケーブル支持装置は、第１，第２の弾性支持部材によって、筐体内と地中配線用のケーブルを導出するピットとの間を封止するように配設して構成したことを特徴とする。
【発明の効果】
【００１２】
請求項１記載の発明においては、地中配線されて地上設置形変圧器装置の設置場所に設けたピットより筐体内に導出される複数本のケーブルを、変圧器装置等のケース下部に突設した支持ピンを挿通して前記ケースに装着した第１の弾性支持部材の対応する凹部に挟み込んで筐体内に導出させ、この状態で、第１の弾性支持部材の外側（筐体の前方側）から第２の弾性支持部材を当接させて、ケーブルを第１，第２の弾性支持部材の凹部により形成されるケーブル支持孔に挟持し、前記第２の弾性支持部材の背部に当接される保持板に取付けられて第２の弾性支持部材の挿通孔に挿入した挿通管より挿通した固定ボルトを第１の弾性支持部材を貫通する支持ピンのねじ孔に螺着させて、ケーブルを第１，第２の弾性支持部材の凹部からなるケーブル支持孔に支持・固定するように構成したので、前記第２の弾性支持部材を第1の弾性支持部材に固定する場合、固定ボルトを第２の弾性支持部材の挿通管より挿通して第１の弾性支持部材内を貫通する支持ピンのねじ孔に締着すると、前記第２の弾性支持部材は、その背部に当接した前記保持板を介して固定ボルトの締付力により、第１の弾性支持部材側に押圧された状態でケーブルを、第１，第２の弾性支持部材の凹部内において適当な押圧力にて挟持するとともに、保持板に取付けられて第２の弾性支持部材に挿着した挿通管が、第２の弾性支持部材の挿通孔内に進入している支持ピンの先端と衝接して固定ボルトによる以後の締付を確実に阻止することができる結果、即ち、挿通管が支持ピンと衝接することによりストッパーの役目を果して、固定ボルトの必要以上の締付を阻止することができるため、これにより、第２の弾性支持部材は固定ボルトの締付によって必要以上に押圧（圧縮）されるのを確実に回避することができるので、第１，第２の弾性支持部材は過剰な締付力を受けて必要以上に圧縮されることにより、弾性力が早期に劣化損傷するという問題を確実に解消し、ケーブルを最適な挟持力にて長期に亘り円滑・良好に支持・固定することができ、利便である。
【００１３】
請求項２記載の発明においては、変圧器装置のケース下部に突設した支持ピンを、第１の弾性支持部材に貫通させてこの第1の弾性支持部材を前記ケースに装着した際、前記第１の弾性支持部材から突出する支持ピンは、第２の弾性支持部材をケーブルの支持に際して前記第１の弾性支持部材に対峙させて当接させると、前記支持ピンの突端が第２の弾性支持部材の挿通孔に進入し、この挿通孔に挿着した第２の弾性支持部材の背部に当接する保持板に取付けた挿通管を通って支持ピンのねじ孔に螺合する固定ボルトを、第１，第２の弾性支持部材が劣化損傷するのを抑制できる程度の締付力を付与して前記支持ピンに締着すると、前記第２の弾性支持部材に挿着した挿通管が、前記第２の弾性支持部材の内部で支持ピンと衝接して、ストッパーとしての役目を果して、前記固定ボルトのそれ以上の螺合を確実に阻止することができるように構成されているので、第１，第２の弾性支持部材は、常に最適な締付力の付与によりケーブルを支持・固定することができるとともに、第１，第２の弾性支持部材自体は、固定ボルトの締め過ぎによる劣化損傷を良好に回避することができる押圧力によってケーブルを支持・固定することができるので、長期に亘り円滑・良好に使用することができるという利点を備えている。
【００１４】
請求項３記載の発明においては、ケーブルを支持・固定する第１，第２の弾性支持部材は、前記ケーブルの支持・固定と、ケーブルが導出されるピットと地上設置形変圧器装置の筐体内との間を封止するように構成されているので、ピットから筐体内に湿気や害虫等が侵入するのを良好に防ぐことができるため、筐体内に湿気や害虫が侵入することによって発生する弊害を確実に防ぐことができるという利点も備えている。
【発明を実施するための最良の形態】
【００１５】
以下本発明の実施例を図１ないし図９によって説明する。なお、本発明は地上設置形変圧器装置の低圧側に接続される負荷ケーブルを支持・固定する場合に実施した例について説明する。図１において、１は本発明のケーブル支持装置（図４参照）Ａを具備した地上設置形変圧器装置を示し、２はその筐体である。前記筐体２は図１に示すように、直方体状に形成されており、内部は隔璧３によって長さ方向において２室に区画されている。
【００１６】
そして、前記筐体２の一方の区画室（図１の右側）２ａは、他方の区画室（図１の左側）２ｂのほぼ２倍の収容面積を備えて変圧器装置４が収容設置されている。前記変圧器装置４の正面（図１，２に示す区画室２ａ側）および図２に示す一方の側面には、変圧器装置４の２次側の充電部と電気的に接続された低圧分岐装置５が併設されている。６は前記低圧分岐装置５に接続した負荷ケーブルで、地上設置形変圧器装置１の直下に設けた図示しないピットから地中配線経路を経て需要家側と接続される。
【００１７】
また、前記筐体２の他方の区画室２ｂは、高圧機器７が収容設置されており、前記高圧機器７は、一般に断路器７ａと高圧カットアウト７ｂとによって構成されている。高圧カットアウト７ｂは変圧器装置４の高圧側と接続されており、断路器７ａには地中配線経路から導出された高圧側ケーブル８が接続されている。
【００１８】
次に、本発明のケーブル支持装置Ａの構成について説明する。このケーブル支持装置Ａは、図３及び図６に示すように、変圧器装置４のケース４ａ下部に該ケース４ａの横方向に沿って一定の間隔を保って突設（ケース４ａの前面、側面）した支持ピン１０と、この支持ピン１０を貫通させて前記ケース４ａの下部に接着剤等の貼着手段を用いて貼着した第１の弾性支持部材１１と、前記第１の弾性支持部材１１との間において負荷ケーブル６を支承保持する第２の弾性支持部材１２と、前記第２の弾性支持部材１２を保持板１４を介して第１の弾性支持部材１１に一定の押圧力にて押圧保持させる固定ボルト１３とによって概略形成されている。
【００１９】
最初に、支持ピン１０は図３，６に示すように、変圧器装置４の前面及び１側面の下部に、所定の間隔を保って複数本（本例では、図１に示すケース４ａ正面側に４本、図２に示すケース４ａの側面側に２本）溶接等により固着されて、変圧器装置４の前方および側方に向けて水平に突設されている。そして、前記支持ピン１０には、後述する固定ボルト１３を螺合するためのねじ孔１０ａが穿設されている。
【００２０】
つづいて、第１の弾性支持部材１１について説明する。第１の弾性支持部材１１は図３，６に示すように、第２の弾性支持部材１２との間で負荷ケーブル６を挟み込むようにして支持する複数の半円状の凹部１１ａと、前記ケース４ａに突設した支持ピン１０を貫通させる貫通孔１１ｂとを形成して、ゴム等弾力性に優れた材料によって横長に形成した弾性体１１ｃを複数個形成して構成される。
【００２１】
前記第１の弾性支持部材１１は、本実施例において、変圧器装置４の低圧分岐装置５に設けたＵ，Ｖ，Ｗ相の各出力端に接続される負荷ケーブル６と、中性点となるｎ相にそれぞれ個別に接続される中性点ケーブル６ａを挿通させるための凹部１１ａを形成する関係上、例えば、図６に示すように、前記支持ピン１０が貫通する貫通孔１１ｂを中央に穿設し、その両側に２個づつ半円状の凹部１１ａを形成した弾性体１１ｃを図３に示すように、支持ピン１０と同数（本実施例では６個）形成することによって第１の弾性支持部材１１を構成するものである。
【００２２】
そして、前記各弾性体１１ｃは、図３，６，７に示すように、凹部１１ａの反対側に位置する後背部に接着剤を塗布した後、貫通孔１１ｂからケース４ａ側の支持ピン１０を貫通させることにより、前記弾性体１１ｃをケース４ａ下部の支持ピン１０を突設した部位に、前記支持ピン１０を貫通孔１１ｂから突出させた状態で、横長に貼着するものである。このように、各弾性体１１ｃをケース４ａの支持ピン１０が存在する部位に、即ち、図３に示す如く、ケース４ａの前面から側面にかけて所定数の弾性体１１ｃを貼着することにより、第１の弾性支持部材１１を構成するものである。
【００２３】
前記第１の弾性支持部材１１を構成するに際し、ケース４ａに突設した支持ピン１０は、弾性体１１ｃの肉厚寸法よりやや長くすることにより、弾性体１１ｃをケース４ａに貼着した場合、必ず弾性体１１ｃの貫通孔１１ｂから所定の長さ突出させることができるように形成されている。
【００２４】
次に、第１の弾性支持部材１１と合体させて負荷ケーブル６、中性点ケーブル６ａを支持する第２の弾性支持部材１２について説明する。第２の弾性支持部材は基本的に第１の弾性支持部材１１と同様に、負荷ケーブル６等を挟み込む凹部１２ａを第１の弾性支持部材１１を構成する弾性体１１ｃと同数形成したゴム等弾力性に優れた材料よりなる弾性体１２ｃを備えており、この弾性体１２ｃには、弾性体１１ｃに設けた貫通孔１１ｂと対応する位置に、支持ピン１０の先端が挿入される挿通孔１２ｂを穿孔するとともに、この挿通孔１２ｂに前記支持ピン１０の弾性体１２ｃへの挿入度合を規制するために第２の弾性支持部材１２の背部に当接される保持板１４に取付けられた挿通管１２ｄ（図４参照）を挿着している点を除いては、第１の弾性支持部材１１を構成する弾性体１１ｃと同様にして形成されている。
【００２５】
そして、前記第２の弾性支持部材１２は、第１の弾性支持部材１１を構成する弾性体１１ｃと同数の弾性体１２ｃを揃えて構成されており、負荷ケーブル６等を変圧器装置４に接続しない場合は、図５に示すように、第１の弾性支持部材１１を構成する各弾性体１１ｃに弾性体１２ｃを合体させ、両弾性体１１ｃ，１２ｃを挿通管１２ｄに挿通されて支持ピン１０のねじ孔１０ａに螺合される固定ボルト１３により、第２の弾性支持部材１２を構成する各弾性体１２ｃは、それぞれ保持板１４を介して第１の弾性支持部材１１の弾性体１１ｃに脱落しないように保持（装着）される。
【００２６】
第１，第２の弾性体１１，１２を合体させたとき、凹部１１ａ，１２ａによって形成されるケーブル支持孔１５に、負荷ケーブル６や中性点ケーブル６ａ（以下、所要ケーブルという）等を支持する必要がない場合（地上設置形変圧器装置１を設置していない場合）は、各ケーブル支持孔１５は盲蓋１６を被せてケーブル支持孔１５を閉鎖している。  
【００２７】
次に、本発明のケーブル支持装置Ａの使用状態について説明する。最初に地上設置形変圧器装置１を所定の設置場所に設置したら、点検扉１７，１７ａを開け、地上設置形変圧器装置１の前面及び側面（変圧器装置４側）を開放する。この後、図５において、第１，第２の弾性支持部材１１，１２の凹部１１ａ，１２ａに被せた盲蓋１６を取り外すとともに、支持ピン１０に螺合している固定ボルト１３の螺合を解き、第２の弾性支持部材１２を図７に示すように、第１の弾性支持部材１１より分離する。
【００２８】
つづいて、地上設置形変圧器装置１を設置した場所に設けた図示しないピットから地中配線されている所要ケーブル６，６ａを導出し、これらケーブル６，６ａは事前に設定されている低圧分岐装置５の各相（Ｕ．Ｖ，Ｗ）の出力端（充電部）と、前記低圧分岐装置５の下側に設けた中性点端子部５ａに個別に接続する。
【００２９】
所要ケーブル６，６ａを低圧分岐装置５、中性点端子部５ａに接続した後、前記所要ケーブル６，６ａをケース４ａ下部に装着されているケーブル支持装置Ａの第１の弾性支持部材１１を構成する各弾性体１１ｃの凹部１１ａに挟み込む（嵌める）。本例では、Ｕ，Ｖ，Ｗ相に接続される負荷ケーブル６（１８本）と、中性点端子部５ａに接続する中性点ケーブル６ａ（６本）は、それぞれ対応する各弾性体１１ｃの凹部１１ａに挟み込むことにより、第１の弾性支持部材１１に設けた凹部１１ａ（２４個）をすべて使用していることになる。
【００３０】
需要家側との電力供給の関係で所要ケーブル６，６ａの本数が減少する場合は、使用しない弾性体１１ｃが生じることになるが、この場合、使用しない弾性体１１ｃについては、所要ケーブル６，６ａの支持後不使用となる弾性体１１ｃの凹部１１ａは、第２の弾性支持部材１２を取り付けた後空所となる凹部１２ａと合わせて、前記凹部１１ａ，１２ａからなるケーブル支持孔１５に、盲蓋１６のボス部１６ａに挿入して閉鎖する。
【００３１】
前記のようにして、所要ケーブル６，６ａを所定の第１の弾性支持部材１１の各弾性体１１ｃの凹部１１ａに挟み込んだら、図７，８に示すように、第２の弾性支持部材１２の各弾性体１２ｃの背部に保持板１４を当接させると同時に、各弾性体１２ｃの挿通孔１２ｂに挿通管１２ｄを挿着し、つづいて前記挿通管１２ｄ（図４参照）を貫通して弾性体１２ｃの前面に突出する各固定ボルト１３を、前記弾性体１２ｃと対応する第１の弾性支持部材１１の弾性体１１ｃに対峙させながら、既に、弾性体１１ｃに半分挟み込まれている所要ケーブル６，６ａの残り半分を凹部１２ａに挟め込むようにして、前記弾性体１２ｃを弾性体１１ｃに図４，９に示すように当接させる。
【００３２】
そして、前記弾性体１２ｃを弾性体１１ｃに当接させたら、直ちに、固定ボルト１３を支持ピン１０のねじ孔１０ａに螺合してこれを締付けると、図５において固定ボルト１３を支持ピン１０のねじ孔１０ａに螺合した当初は、弾性体１２ａに挿着した挿通管１２ｄと支持ピン１０との間に、ある程度の隙間が存在しているものの、前記固定ボルト１３をねじ孔１０ａの奥に螺合するにつれて、弾性体１２ｃはその背部に当接した保持板１４に押圧され所要ケーブル６，６ａを弾性体１１ｃ側に押圧するようにして圧縮される（この場合、弾性体１１ｃも同時に圧縮されることになる）。
【００３３】
前記固定ボルト１３のねじ孔１０ａに対する螺合の進展により、弾性体１２ｃに挿着した挿通管１２ｄが支持ピン１０の突端と衝接することにより、固定ボルト１３はその締着を終え、固定ボルト１３は以後いくら締付けようとしても、挿通管１２ｄが支持ピン１０と衝接してストッパーの役目を果しているため、それ以上の締付けは確実に回避することができる。
【００３４】
前記固定ボルト１３の締付け作用が完了するということは、固定ボルト１３自体の締付けが終了することと、弾性体１２ｃの保持板１４による押圧力が、固定ボルト１３の締付け終了によりそれ以上に増大することがないことを意味するものである。本発明は、固定ボルト１３の締付力が挿通管１２ｄの支持ピン１０への衝接によって締付力がそれ以上加えられることがないので、弾性体１２ｃも固定ボルト１３による締付けが停止する時点までは圧縮（弾性体１１ｃも同様である）されるものの、それ以降圧縮されることは全くない。
【００３５】
即ち、固定ボルト１３は弾性体１２ｃ，１１ｃに設定値以上の圧縮力を付与することによってその劣化を早期に促進させることもなく、所要ケーブル６，６ａを最適な締付力（押圧力）により支持することができる程度の圧縮力を弾性体１１ｃ，１２ｃに付与させるようにしたものである。これは、事前に弾性体１２ｃ，１１ｃを最良の圧縮力にて維持できるように、第２の弾性支持部材１２を構成する弾性体１２ｃに挿着した挿通管１２ｄを、弾性体１２ｃ，１１ｃの圧縮力が最適に得られる地点で支持ピン１０と衝接させることによって得られるものである。
【００３６】
以下同様にして残りの弾性体１２ｃを対応する弾性体１１ｃに当接し、所要ケーブル６，６ａを挟持させるための固定ボルト１３を支持ピン１０に締着することによって、図３，４に示すように、変圧器装置４の前面及び側面に第１，第２の弾性支持部材１１，１２を設置することによって所要ケーブル６，６ａの支持・固定を行うもので、本実施例では図３に示すように、支持ピン１０と同数の弾性支持部材１１，１２に取り付け、各弾性支持部材１１，１２に設けた凹部１１ａ，１２ａからなるケーブル支持孔１５に、２４本の所要ケーブル６，６ａを支持・固定するようにしたものである。
【００３７】
本発明は前記のように、弾性体１２ｃに挿着した挿通管１２ｄが固定ボルト１３を支持ピン１０のねじ孔１０ａに螺合したとき、どれだけの力で締付けるかによって、弾性体１２ｃ，１１ｃを最適な圧縮力により維持することができるかを事前に算定し、挿通管１２ｄが支持ピン１０と衝接したとき、弾性体１２ｃ，１１ｃが所要ケーブル６，６ａの挟持を最適な圧縮力にて維持することができるように、前記挿通管１２ｄはその長さ寸法が事前に設定されている。
【００３８】
この結果、第１，第２の弾性支持部材１１，１２により所要ケーブル６，６ａを常に最適な圧縮力にて支持・固定することができることはもとより、第１，第２の弾性支持部材１１，１２は必要以上の圧縮力が加えられることなく、ケース４ａの前面及び側面に取り付けられているので、圧縮力の増加により弾性体１１ｃ，１２ｃの劣化が促進されて、所要ケーブル６，６ａの支持に悪影響を与えるということは全くない。
【００３９】
しかも、挿通管１２ｄの長さはすべて統一されているので、固定ボルト１３はすべて同じ締付力にて支持ピン１０に螺着することができるため、第１，第２の弾性支持部材１１，１２の各弾性体１１ｃ，１２ｃが、固定ボルト１３の締付けむらによって部分的に劣化・損傷するのを良好に回避することができるとともに、図４に示すように、変圧器装置４を収容した筐体２の区画室２ａと、所要ケーブル６，６ａが導出される図示しないピットと連通する地上設置形変圧器装置１下部のベース４ｂと筐体２の基枠１９との間に存在する空間部１８は、前記第１，第２の弾性支持部材１１，１２によって確実に封止することができるので、ケーブルの地中配線経路とか、ピットを伝って害虫や湿気等が区画室２ａ内に侵入し、変圧器装置４に悪影響を及ぼすという弊害も良好に回避することができる。
【００４０】
なお、本発明は、地上設置形変圧器装置１の低圧側に接続する所要ケーブル６，６ａを支持・固定するケーブル支持装置Ａの実施例について説明したが、変圧器装置４の高圧機器７に接続される高圧ケーブル８においても、前記ケーブル支持装置Ａを援用して支持・固定することにより、所要ケーブル６，６ａを支持・固定したときと同様の効果が得られることは勿論であるとともに、地上設置形変圧器装置１以外の電気機器のケーブル支持装置として、本発明のケーブル支持装置Ａを使用してもよいことは当然である。
【００４１】
また、本発明は、所要ケーブル６，６ａを変圧器装置４の所要充電部に接続した後に、所要ケーブル６，６ａを支持・固定する実施例について説明したが、本発明はこれに限定されることなく、所要ケーブル６，６ａを、第１，第２の弾性支持部材１１，１２により支持・固定した後、所要充電部に接続するようにしてもよい。
【００４２】
更に、本発明は、ケース４ａに取付けた支持ピン１０を、第１の弾性支持部材１１から所定の長さ突出する長さ寸法で形成するとともに、保持板１４に取付けられて第２の弾性支持部材１２の挿通孔１２ｂに挿着した挿通管１２ｄを、前記第２の弾性支持部材１２を第１の弾性支持部材１１に当接させて所定の押圧力にて押圧したときに、前記挿通孔１２ｂに進入した支持ピン１０の突出端と衝接する長さ寸法で形成するようにした実施例について説明したが、これに限定されることなく、例えば前記とは逆に、保持板１４に取付けた挿通管１２ｄを第２の弾性支持部材１２から所定の長さ突出する長さ寸法で形成するとともに、ケース４ａに取付けた支持ピン１０を、前記第２の弾性支持部材１２を第１の弾性支持部材１１に当接させて所定の押圧力にて押圧したときに、第１の弾性支持部材１１の貫通孔１１ｂに進入した前記挿通管１２ｄの突出端と衝接する長さ寸法で形成するようにしてもよい。
【００４３】
また、本発明は、第２の弾性支持部材１２の背部に当接される保持板１４に取付けられて前記第２の弾性支持部材１２の挿通孔１２ｂに挿着した挿通管１２ｄより挿通した固定ボルトを、第１の弾性支持部材１１を貫通する支持ピン１０のねじ孔１０ａに螺着させて、所要ケーブル６，６ａを第１，第２の弾性支持部材１１，１２により支持・固定する実施例について説明したが、これに限定されることなく、第１の弾性支持部材１１を貫通する支持ピン１０の先端側もしくは全体にねじ部を螺設するとともに、前記支持ピン１０を第２の弾性支持部材１２の背部に当接される保持板１４に取付けた挿通管１２ｄに挿通し、前記保持板１４側に突出する支持ピン１０のねじ部にナットを螺合して適宜締着したとき、前記支持ピン１０が挿通する挿通管１２ｄの先端部を、前記ねじ部を螺設することにより支持ピン１０の途中に形成される段部もしくは前記支持ピン１０を取付けた変圧器装置４のケース４ａに衝接させ、前記ナットがそれ以上ねじ部に螺合されるのを阻止することによって、所要ケーブル６，６ａを第１，第２の弾性支持部材１１，１２により最適な圧縮力にて支持・固定するようにしてもよい。
【図面の簡単な説明】
【００４４】
【図１】本発明のケーブル支持装置を備えた地上設置形変圧器装置の内部を示す正面図である。
【図２】本発明のケーブル支持装置を備えた地上設置形変圧器装置の内部を示す一方の側面図である。
【図３】地上設置形変圧器装置の要部を横断して変圧器装置側に設置したケーブル支持装置を示す平面図である。
【図４】ケーブルを支持している状態のケーブル支持装置の要部を示す縦断面図である。
【図５】同じくケーブルを除去したときのケーブル支持装置の要部を示す縦断面図である。
【図６】ケーブル支持装置の分解斜視図である。
【図７】ケーブル支持装置における第１の弾性支持部材をケースに装着し、第２の弾性支持部材のみを分解して示す斜視図である。
【図８】第１の弾性支持部材と第２の弾性支持部材とを分解して示す斜視図である。
【図９】第１，第２の弾性支持部材を組み合せた状態を示す斜視図である。
【符号の説明】
【００４５】
１  地上設置形変圧器装置
２  筐体
２ａ，２ｂ  区画室
４  変圧器装置
５  低圧分岐装置
６  負荷ケーブル
６ａ  中性点ケーブル
７  高圧機器
８  高圧側ケーブル
１０  支持ピン
１０ａ  ねじ孔
１１  第１の弾性支持部材
１１ａ，１２ａ  凹部
１１ｃ，１２ｃ  弾性体
１２  第２の弾性支持部材
１２ｄ  挿通管
１３  固定ボルト
１４  保持板
１８  空間部
【図１】
2006179636.tif 000003
【図２】
2006179636.tif 000004
【図３】
2006179636.tif 000005
【図４】
2006179636.tif 000006
【図５】
2006179636.tif 000007
【図６】
2006179636.tif 000008
【図７】
2006179636.tif 000009
【図８】
2006179636.tif 000010
【図９】
2006179636.tif 000011